【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
配線により形成されて信号を送信する第１コイルと、該第１コイルに接続され、該第１コイルへ信号を非同期に出力する第１送信回路とを有する第１基板と、
配線により前記第１コイルと対応する位置に形成されて前記第１コイルとの間で通信チャネルを構成して信号を受信する第２コイルと、基板上の配線により前記第２コイルと接続されて信号を送信する第３コイルとを有する第２基板と、
配線により前記第３コイルと対応する位置に形成されて前記第３コイルとの間で通信チャネルを構成して信号を受信する第４コイルと、該第４コイルに接続されて該第４コイルから信号を非同期に入力する第１受信回路とを有する第３基板と、
を備え、
前記第１送信回路は、送信データの論理値の変化毎に前記第１コイルに流す電流を変化させることを特徴とする電子回路。
【請求項２】
請求項１記載の電子回路において、
前記第１受信回路は、複数のパルスが組み合わされた形状の入力信号を閾値で比較することにより前記入力信号からモノパルス形状の信号を抽出し、該モノパルス信号から前記送信データを生成することを特徴とする電子回路。
【請求項３】
請求項１または請求項２記載の電子回路において、
前記第２基板は、前記第２コイルと第３コイルとの間に設けられた抵抗を備えることを特徴とする電子回路。
【請求項４】
配線により形成されて信号を送信する第１コイルと、配線により形成されて信号を受信する第２コイルと、該第１コイルに接続されて第１コイルへ信号を出力する第１送信回路と、前記第２コイルに接続されて該第２コイルから信号を入力する第１受信回路とを有する第１基板と、
前記第１基板に近い第１面に形成された配線により前記第１コイルと対応する位置に形成されて第１コイルとの間で通信チャネルを構成して信号を受信する第３コイルと、前記第１面に形成された配線により前記第２コイルと対応する位置に形成されて第２コイルとの間で通信チャネルを構成して信号を送信する第４コイルと、基板上の前記第１面と反対の第２面の配線により前記第３コイルとスルーホールで接続されて信号を送信する第５コイルと、前記第２面の配線により前記第４コイルとスルーホールで接続されて信号を受信する第６コイルとを有する第２基板と、
配線により前記第５コイルと対応する位置に形成されて第５コイルとの間で通信チャネルを構成して信号を受信する第７コイルと、該第７コイルに接続されて第７コイルから信号を入力する第２受信回路と、前記第６コイルと対応する位置に形成されて第６コイルとの間で通信チャネルを構成して信号を送信する第８コイルと、該第８コイルに接続されて第８コイルへ信号を出力する第２送信回路とを有する第３基板と、
を備え、
前記第３コイルもしくは第４コイルと前記第６コイルもしくは第５コイルの間の誘導結合が十分に小さくなるように前記第２基板の前記第１面と前記第２面との距離が、前記第３コイル、前記第４コイル、前記第５コイル、前記第６コイルの最も大きな直径よりも大きな距離とされることを特徴とする電子回路。
【請求項５】
配線により形成されて信号を送信する第１コイルと、配線により形成されて信号を受信する第２コイルと、該第１コイルに接続されて第１コイルへ信号を出力する第１送信回路と、前記第２コイルに接続されて該第２コイルから信号を入力する第１受信回路とを有する第１基板と、
前記第１基板に近い第１面に形成された配線により前記第１コイルと対応する位置に形成されて第１コイルとの間で通信チャネルを構成して信号を受信する第３コイルと、前記第１面に形成された配線により前記第２コイルと対応する位置に形成されて第２コイルとの間で通信チャネルを構成して信号を送信する第４コイルと、基板上の前記第１面と反対の第２面の配線により前記第３コイルとスルーホールで接続されて信号を送信する第５コイルと、前記第２面の配線により前記第４コイルとスルーホールで接続されて信号を受信する第６コイルとを有する第２基板と、
配線により前記第５コイルと対応する位置に形成されて第５コイルとの間で通信チャネルを構成して信号を受信する第７コイルと、該第７コイルに接続されて第７コイルから信号を入力する第２受信回路と、前記第６コイルと対応する位置に形成されて第６コイルとの間で通信チャネルを構成して信号を送信する第８コイルと、該第８コイルに接続されて第８コイルへ信号を出力する第２送信回路とを有する第３基板と、
を備え、
前記第３コイルもしくは第４コイルと前記第６コイルもしくは第５コイルの中間に設けられた磁界を減衰させる遮断膜を備えることを特徴とする電子回路。
【請求項６】
配線により形成されて信号を送受信する第１コイルと、該第１コイルに接続され、該第１コイルとの間で信号を非同期に入出力する第１送受信回路とを有する第１基板と、
配線により前記第１コイルと対応する位置に形成されて前記第１コイルとの間で通信チャネルを構成して信号を送受信する第２コイルと、基板上の配線により前記第２コイルと接続されて信号を送受信する第３コイルとを有する第２基板と、
配線により前記第３コイルと対応する位置に形成されて前記第３コイルとの間で通信チャネルを構成して信号を送受信する第４コイルと、該第４コイルに接続されて該第４コイルとの間で信号を非同期に入出力する第２送受信回路とを有する第３基板と、
を備え、
前記第１送受信回路は、送信データの論理値の変化毎に前記第１コイルに流す電流を変化させることを特徴とする電子回路。
【請求項７】
請求項６記載の電子回路において、
前記第２送受信回路は、複数のパルスが組み合わされた形状の入力信号を閾値で比較することにより前記入力信号からモノパルス形状の信号を抽出し、該モノパルス信号から前記送信データを生成することを特徴とする電子回路。
【請求項８】
請求項６または請求項７記載の電子回路において、
前記第２基板は、前記第２コイルと第３コイルとの間に設けられた抵抗を備えることを特徴とする電子回路。
【請求項９】
配線により形成されて信号を送受信する第１コイルと第２コイルと、該第１コイルに接続されて第１コイルとの間で信号を入出力する第１送受信回路と、前記第２コイルに接続されて該第２コイルとの間で信号を入出力する第２送受信回路とを有する第１基板と、
前記第１基板に近い第１面に形成された配線により前記第１コイルと対応する位置に形成されて第１コイルとの間で通信チャネルを構成して信号を送受信する第３コイルと、前記第１面に形成された配線により前記第２コイルと対応する位置に形成されて第２コイルとで通信チャネルを構成して信号を送受信する第４コイルと、基板上の前記第１面と反対の第２面の配線により前記第３コイルとスルーホールで接続されて信号を送受信する第５コイルと、前記第２面の配線により前記第４コイルとスルーホールで接続されて信号を送受信する第６コイルとを有する第２基板と、
配線により前記第５コイルと対応する位置に形成されて第５コイルとの間で通信チャネルを構成して信号を送受信する第７コイルと、該第７コイルに接続されて第７コイルとの間で信号を入出力する第３送受信回路と、前記第６コイルと対応する位置に形成されて第６コイルとの間で通信チャネルを構成して信号を送受信する第８コイルと、該第８コイルに接続されて第８コイルとの間で信号を入出力する第４送受信回路とを有する第３基板と、
を備え、
前記第３コイルもしくは第４コイルと前記第６コイルもしくは第５コイルの間の誘導結合が十分に小さくなるように前記第２基板の前記第１面と前記第２面との距離が、前記第３コイル、前記第４コイル、前記第５コイル、前記第６コイルの最も大きな直径よりも大きな距離とされることを特徴とする電子回路。
【請求項１０】
配線により形成されて信号を送受信する第１コイルと第２コイルと、該第１コイルに接続されて第１コイルとの間で信号を入出力する第１送受信回路と、前記第２コイルに接続されて該第２コイルとの間で信号を入出力する第２送受信回路とを有する第１基板と、
前記第１基板に近い第１面に形成された配線により前記第１コイルと対応する位置に形成されて第１コイルとの間で通信チャネルを構成して信号を送受信する第３コイルと、前記第１面に形成された配線により前記第２コイルと対応する位置に形成されて第２コイルとで通信チャネルを構成して信号を送受信する第４コイルと、基板上の前記第１面と反対の第２面の配線により前記第３コイルとスルーホールで接続されて信号を送受信する第５コイルと、前記第２面の配線により前記第４コイルとスルーホールで接続されて信号を送受信する第６コイルとを有する第２基板と、
配線により前記第５コイルと対応する位置に形成されて第５コイルとの間で通信チャネルを構成して信号を送受信する第７コイルと、該第７コイルに接続されて第７コイルとの間で信号を入出力する第３送受信回路と、前記第６コイルと対応する位置に形成されて第６コイルとの間で通信チャネルを構成して信号を送受信する第８コイルと、該第８コイルに接続されて第８コイルとの間で信号を入出力する第４送受信回路とを有する第３基板と、
を備え、
前記第３コイルもしくは第４コイルと前記第６コイルもしくは第５コイルの中間に設けられた磁界を減衰させる遮断膜を備えることを特徴とする電子回路。
【手続補正２】
【補正対象書類名】明細書
【補正対象項目名】００２４
【補正方法】変更
【補正の内容】
【００２４】
本発明の電子回路は、配線により形成されて信号を送信する第１コイルと、該第１コイルに接続され、該第１コイルへ信号を非同期に出力する第１送信回路とを有する第１基板と、
配線により前記第１コイルと対応する位置に形成されて前記第１コイルとの間で通信チャネルを構成して信号を受信する第２コイルと、基板上の配線により前記第２コイルと接続されて信号を送信する第３コイルとを有する第２基板と、
配線により前記第３コイルと対応する位置に形成されて前記第３コイルとの間で通信チャネルを構成して信号を受信する第４コイルと、該第４コイルに接続されて該第４コイルから信号を非同期に入力する第１受信回路とを有する第３基板と、
を備え、
前記第１送信回路は、送信データの論理値の変化毎に前記第１コイルに流す電流を変化させることを特徴とする。
この場合、前記第１受信回路は、複数のパルスが組み合わされた形状の入力信号を閾値で比較することにより前記入力信号からモノパルス形状の信号を抽出し、該モノパルス信号から前記送信データを生成することとしてもよい。
【手続補正３】
【補正対象書類名】明細書
【補正対象項目名】００２５
【補正方法】変更
【補正の内容】
【００２５】
上記のいずれにおいても、前記第２基板は、前記第２コイルと第３コイルとの間に設けられた抵抗を備えることとしてもよい。
【手続補正４】
【補正対象書類名】明細書
【補正対象項目名】００２６
【補正方法】変更
【補正の内容】
【００２６】
本発明の他の形態による電子回路は、配線により形成されて信号を送信する第１コイルと、配線により形成されて信号を受信する第２コイルと、該第１コイルに接続されて第１コイルへ信号を出力する第１送信回路と、前記第２コイルに接続されて該第２コイルから信号を入力する第１受信回路とを有する第１基板と、
前記第１基板に近い第１面に形成された配線により前記第１コイルと対応する位置に形成されて第１コイルとの間で通信チャネルを構成して信号を受信する第３コイルと、前記第１面に形成された配線により前記第２コイルと対応する位置に形成されて第２コイルとの間で通信チャネルを構成して信号を送信する第４コイルと、基板上の前記第１面と反対の第２面の配線により前記第３コイルとスルーホールで接続されて信号を送信する第５コイルと、前記第２面の配線により前記第４コイルとスルーホールで接続されて信号を受信する第６コイルとを有する第２基板と、
配線により前記第５コイルと対応する位置に形成されて第５コイルとの間で通信チャネルを構成して信号を受信する第７コイルと、該第７コイルに接続されて第７コイルから信号を入力する第２受信回路と、前記第６コイルと対応する位置に形成されて第６コイルとの間で通信チャネルを構成して信号を送信する第８コイルと、該第８コイルに接続されて第８コイルへ信号を出力する第２送信回路とを有する第３基板と、
を備え、
前記第３コイルもしくは第４コイルと前記第６コイルもしくは第５コイルの間の誘導結合が十分に小さくなるように前記第２基板の前記第１面と前記第２面との距離が、前記第３コイル、前記第４コイル、前記第５コイル、前記第６コイルの最も大きな直径よりも大きな距離とされることを特徴とする。
【手続補正５】
【補正対象書類名】明細書
【補正対象項目名】００２７
【補正方法】変更
【補正の内容】
【００２７】
本発明のさらに他の形態による電子回路は、配線により形成されて信号を送信する第１コイルと、配線により形成されて信号を受信する第２コイルと、該第１コイルに接続されて第１コイルへ信号を出力する第１送信回路と、前記第２コイルに接続されて該第２コイルから信号を入力する第１受信回路とを有する第１基板と、
前記第１基板に近い第１面に形成された配線により前記第１コイルと対応する位置に形成されて第１コイルとの間で通信チャネルを構成して信号を受信する第３コイルと、前記第１面に形成された配線により前記第２コイルと対応する位置に形成されて第２コイルとの間で通信チャネルを構成して信号を送信する第４コイルと、基板上の前記第１面と反対の第２面の配線により前記第３コイルとスルーホールで接続されて信号を送信する第５コイルと、前記第２面の配線により前記第４コイルとスルーホールで接続されて信号を受信する第６コイルとを有する第２基板と、
配線により前記第５コイルと対応する位置に形成されて第５コイルとの間で通信チャネルを構成して信号を受信する第７コイルと、該第７コイルに接続されて第７コイルから信号を入力する第２受信回路と、前記第６コイルと対応する位置に形成されて第６コイルとの間で通信チャネルを構成して信号を送信する第８コイルと、該第８コイルに接続されて第８コイルへ信号を出力する第２送信回路とを有する第３基板と、
を備え、
前記第３コイルもしくは第４コイルと前記第６コイルもしくは第５コイルの中間に設けられた磁界を減衰させる遮断膜を備えることを特徴とする。
【手続補正６】
【補正対象書類名】明細書
【補正対象項目名】００２８
【補正方法】変更
【補正の内容】
【００２８】
本発明のさらに他の形態による電子回路は、配線により形成されて信号を送受信する第１コイルと、該第１コイルに接続され、該第１コイルとの間で信号を非同期に入出力する第１送受信回路とを有する第１基板と、
配線により前記第１コイルと対応する位置に形成されて前記第１コイルとの間で通信チャネルを構成して信号を送受信する第２コイルと、基板上の配線により前記第２コイルと接続されて信号を送受信する第３コイルとを有する第２基板と、
配線により前記第３コイルと対応する位置に形成されて前記第３コイルとの間で通信チャネルを構成して信号を送受信する第４コイルと、該第４コイルに接続されて該第４コイルとの間で信号を非同期に入出力する第２送受信回路とを有する第３基板と、
を備え、
前記第１送受信回路は、送信データの論理値の変化毎に前記第１コイルに流す電流を変化させることとしてもよい。
【手続補正７】
【補正対象書類名】明細書
【補正対象項目名】００３１
【補正方法】変更
【補正の内容】
【００３１】
本発明のさらに他の形態による電子回路は、配線により形成されて信号を送受信する第１コイルと第２コイルと、該第１コイルに接続されて第１コイルとの間で信号を入出力する第１送受信回路と、前記第２コイルに接続されて該第２コイルとの間で信号を入出力する第２送受信回路とを有する第１基板と、
前記第１基板に近い第１面に形成された配線により前記第１コイルと対応する位置に形成されて第１コイルとの間で通信チャネルを構成して信号を送受信する第３コイルと、前記第１面に形成された配線により前記第２コイルと対応する位置に形成されて第２コイルとで通信チャネルを構成して信号を送受信する第４コイルと、基板上の前記第１面と反対の第２面の配線により前記第３コイルとスルーホールで接続されて信号を送受信する第５コイルと、前記第２面の配線により前記第４コイルとスルーホールで接続されて信号を送受信する第６コイルとを有する第２基板と、
配線により前記第５コイルと対応する位置に形成されて第５コイルとの間で通信チャネルを構成して信号を送受信する第７コイルと、該第７コイルに接続されて第７コイルとの間で信号を入出力する第３送受信回路と、前記第６コイルと対応する位置に形成されて第６コイルとの間で通信チャネルを構成して信号を送受信する第８コイルと、該第８コイルに接続されて第８コイルとの間で信号を入出力する第４送受信回路とを有する第３基板と、
を備え、
前記第３コイルもしくは第４コイルと前記第６コイルもしくは第５コイルの間の誘導結合が十分に小さくなるように前記第２基板の前記第１面と前記第２面との距離が、前記第３コイル、前記第４コイル、前記第５コイル、前記第６コイルの最も大きな直径よりも大きな距離とされることを特徴とする。
【手続補正８】
【補正対象書類名】明細書
【補正対象項目名】００３２
【補正方法】変更
【補正の内容】
【００３２】
本発明のさらに他の形態による電子回路は、配線により形成されて信号を送受信する第１コイルと第２コイルと、該第１コイルに接続されて第１コイルとの間で信号を入出力する第１送受信回路と、前記第２コイルに接続されて該第２コイルとの間で信号を入出力する第２送受信回路とを有する第１基板と、
前記第１基板に近い第１面に形成された配線により前記第１コイルと対応する位置に形成されて第１コイルとの間で通信チャネルを構成して信号を送受信する第３コイルと、前記第１面に形成された配線により前記第２コイルと対応する位置に形成されて第２コイルとで通信チャネルを構成して信号を送受信する第４コイルと、基板上の前記第１面と反対の第２面の配線により前記第３コイルとスルーホールで接続されて信号を送受信する第５コイルと、前記第２面の配線により前記第４コイルとスルーホールで接続されて信号を送受信する第６コイルとを有する第２基板と、
配線により前記第５コイルと対応する位置に形成されて第５コイルとの間で通信チャネルを構成して信号を送受信する第７コイルと、該第７コイルに接続されて第７コイルとの間で信号を入出力する第３送受信回路と、前記第６コイルと対応する位置に形成されて第６コイルとの間で通信チャネルを構成して信号を送受信する第８コイルと、該第８コイルに接続されて第８コイルとの間で信号を入出力する第４送受信回路とを有する第３基板と、
を備え、
前記第３コイルもしくは第４コイルと前記第６コイルもしくは第５コイルの中間に設けられた磁界を減衰させる遮断膜を備えることを特徴とする。
【手続補正９】
【補正対象書類名】明細書
【補正対象項目名】０１５０
【補正方法】変更
【補正の内容】
【０１５０】
なお、上述した実施例では、基板が順に積層される構成のものについて説明したが、第２基板（インターポーザ）上に第１基板および第３基板を並設する構成としてもよい。